(57)【要約】【課題】カウンタウエイトを省略して、ドアハンドル装置全体の軽量化を図る。【解決手段】ドア外板９の外側に設けられるものであってプラスチック材にて形成されるとともに取手部１２及び当該取手部１２の長手方向軸線に対して直角の方向に設けられるフック部１１を有するハンドル本体１と、ハンドル本体１を保持するものであってプラスチック材にて形成されるとともにドア外板９の内側に取付けられるベース２と、フック部１１と係合するレバー部を有するものであって、もう一方のレバー部端部がドアロック装置につながるベルクランク３と、ベルクランク３の揺動運動の支点をなす回転軸３１及び当該回転軸３３の回転運動を支持する軸受部２２のところに設けられるものであって、所定の加速度入力時にベルクランク３の回転軸３１の回転運動を抑止するように作動する抑止機構５と、からなる。【選択図】図２
2005232768.tif 000002
【特許請求の範囲】
【請求項１】
取手部を形成するものであってレバー状の形態からなるハンドル本体と、当該ハンドル本体を保持するものであってドア外板のところに設けられるベースと、からなるとともに、このような一組の部材にて形成されるものの、その一方の端部側には上記ハンドル本体を回転自在なように支持する回転支持部を有し、かつ、もう一方の端部側には上記ベース及びハンドル本体の長手方向軸線に対して直角に設けられたフック部からなる係合部を有し、更に、このようなハンドル本体に設けられた上記フック部の先端部のところに、その一端が係合するとともに、他端がドアロック装置につながるように形成されたベルクランクを有する車両用ドアハンドル装置において、上記ベルクランクと一体的に設けられるものであって当該ベルクランクの揺動運動の支点をなす回転軸のところに、当該ベルクランクを含むドアハンドル装置に所定の加速度が入力したときに、当該加速度の入力に応じて作動するものであって上記ベルクランク回転軸の回転運動を抑止するように作用する抑止機構を設けるようにした構成からなることを特徴とする車両用ドアハンドル装置。
【請求項２】
請求項１記載の車両用ドアハンドル装置において、上記抑止機構を、上記ベルクランク回転軸のところに設けられるものであって当該ベルクランク回転軸の軸直角方向に設けられる凹陥部と、上記ベルクランク回転軸を支持する軸受部側に設けられるものであって所定の加速度入力時に、その一部が上記ベルクランク回転軸に設けられた上記凹陥部内へ嵌り込んで上記ベルクランク回転軸の上記軸受部に対する相対回転運動を抑止するように形成された可動部材と、からなるようにしたことを特徴とする車両用ドアハンドル装置。
【請求項３】
請求項１記載の車両用ドアハンドル装置において、上記抑止機構を、上記ベルクランク回転軸のところに設けられるものであって当該ベルクランク回転軸の軸直角方向に設けられる凹陥状の穴部と、上記ベルクランク回転軸を支持する軸受部側に設けられるものであって所定の加速度入力時に、その一部が上記ベルクランク回転軸に設けられた凹陥部内へ嵌り込んで上記ベルクランク回転軸の上記軸受部に対する相対回転運動を抑止するように形成されたスライドピンと、からなるようにしたことを特徴とする車両用ドアハンドル装置。
【請求項４】
請求項２または請求項３記載の車両用ドアハンドル装置において、上記抑止機構を形成する可動部材またはスライドピンを、カバーにて覆うようにした構成からなることを特徴とする車両用ドアハンドル装置。
【請求項５】
請求項３記載の車両用ドアハンドル装置において、上記抑止機構を形成するスライドピンを、長手方向中央部のところに所定の径からなるフランジ部を有するとともに、当該フランジ部を間に挟んでその両側に同じ値の径及び長さからなるシャフト部を有する対称形の形態からなるようにしたことを特徴とする車両用ドアハンドル装置。
【発明の詳細な説明】
【技術分野】
【０００１】
本発明は、レバー状のハンドル本体をドア外板の外側に有するとともに、当該ドアハンドル本体の取付支点を形成するベースはドア外板の所定の位置に設けられる二分割式の車両用ドアハンドル装置に関するものであり、特に、このような車両用ドアハンドル装置を有する車両用ドアのところに車両の側面衝突等により、所定の衝撃力（加速度）が加わったときに、車両用ドアの開放を抑止するように作動する抑止機構を有する車両用ドアハンドル装置に関するものである。
【背景技術】
【０００２】
一般に、車両用ドアハンドル装置は、例えば、図６に示す如く、ハンドル本体１０と、当該ハンドル本体１０をドア外板面９０に保持する役目を果たすベース２０と、からなる二分割式構造のものが主流となっている。そして、このようなドアハンドル装置を有する車両用ドアのところに、例えば側面衝突等により、Ｆ矢印方向の衝撃荷重（加速度）が入力した場合、このような車両用ドアに取付けられるハンドル本体１０のところには、上記入力衝撃荷重の反作用により、車両用ドアを開放させるようなＸ方向の力（加速度）が作用することとなる。このような車両用ドアを開放させるような力の作用に対して、従来のものにおいては、特開２００３−１３６３０号公報に記載される如く、または、図６に示す如く、ハンドル本体１０と一体的に形成されるフック部１１０のところに係合するベルクランク２０の、その一端部に設けられたカウンタウエイト５０の慣性力によって、上記ハンドル本体１０のドア開放方向への作動が規制されるようになっているものである。すなわち、従来のものにおいては、所定の質量を有するカウンタウエイト方式の抑止装置が採用されるようになっているものである。
【特許文献１】特開２００３−１３６３０号公報
【発明の開示】
【発明が解決しようとする課題】
【０００３】
ところで、上記従来のものにおいては、図６に示す如く、所定の質量を有するカウンタウエイト５０が、ベルクランク６０の一端側に設けられるようになっているものである。従って、このようなカウンタウエイト５０を有するベルクランク６０を含む本ドアハンドル装置全体としては、可成りの質量、すなわち、重量を有することとなる。また、所定の質量を有するカウンタウエイト５０を保持するベルクランク６０の周りには、相当のスペースを確保する必要がある。従って、このようなカウンタウエイト付きのベルクランク６０、並びに当該ベルクランク６０の一端側と係合作用をするフック部を有するドアハンドル本体等からなる車両用ドアハンドル装置のドア外板部への取付け作業（組付作業）に当たっては、当該取付部（組付部）周りに相当のスペースを確保しなければならないと言う問題点がある。また、このような各部品の組付作業における作業性が良くないと言う問題点がある。このような問題点を解決するために、可成りの質量及びスペースを必要とするカウンタウエイトを有しないタイプのものであって、質量軽減化された、かつ、省スペース化の図られたドア開放抑止機構を有する車両用ドアハンドル装置を提供しようとするのが、本発明の目的（課題）である。
【課題を解決するための手段】
【０００４】
上記課題を解決するために、本発明においては次のような手段を講ずることとした。すなわち、請求項１記載の発明である第一の発明においては、取手部を形成するものであってレバー状の形態からなるハンドル本体と、当該ハンドル本体を保持するものであってドア外板のところに設けられるベースと、からなるとともに、このような一組の部材にて形成されるものの、その一方の端部側には上記ハンドル本体を回転自在なように支持する回転支持部を有し、かつ、もう一方の端部側には上記ベース及びハンドル本体の長手方向軸線に対して直角に設けられたフック部からなる係合部を有し、更に、このようなハンドル本体に設けられた上記フック部の先端部のところに、その一端が係合するとともに、他端がドアロック装置につながるように形成されたベルクランクを有する車両用ドアハンドル装置に関して、上記ベルクランクと一体的に設けられるものであって当該ベルクランクの揺動運動の支点をなす回転軸のところに、当該ベルクランクを含む本ドアハンドル装置に所定の加速度が入力したときに、当該加速度の入力に応じて作動するものであって上記ベルクランク回転軸の回転運動を抑止するように作用する抑止機構を設けるようにした構成を採ることとした。
【０００５】
また、請求項２記載の発明である第二の発明においては、請求項１記載の車両用ドアハンドル装置に関して、上記抑止機構を、上記ベルクランク回転軸のところに設けられるものであって当該ベルクランク回転軸の軸直角方向に設けられる凹陥部と、上記ベルクランク回転軸を支持する軸受部側に設けられるものであって所定の加速度入力時に、その一部が上記ベルクランク回転軸に設けられた上記凹陥部内へ嵌り込んで上記ベルクランク回転軸の上記軸受部に対する相対回転運動を抑止するように形成された可動部材と、からなるようにした構成を採ることとした。
【０００６】
また、請求項３記載の発明である第三の発明においては、請求項１記載の車両用ドアハンドル装置に関して、上記抑止機構を、上記ベルクランク回転軸のところに設けられるものであって当該ベルクランク回転軸の軸直角方向に設けられる凹陥状の穴部と、上記ベルクランク回転軸を支持する軸受部側に設けられるものであって所定の加速度入力時に、その一部が上記ベルクランク回転軸に設けられた凹陥部内へ嵌り込んで、上記ベルクランク回転軸の上記軸受部に対する相対回転運動を抑止するように形成されたスライドピンと、からなるようにした構成を採ることとした。
【０００７】
また、請求項４記載の発明である第四の発明においては、請求項２または請求項３記載の車両用ドアハンドル装置に関して、上記抑止機構を形成する可動部材またはスライドピンを、防塵機能を発揮するカバーにて覆うようにした構成を採ることとした。また、請求項５記載の発明である第五の発明においては、請求項３記載の車両用ドアハンドル装置に関して、上記抑止機構を形成するスライドピンを、長手方向中央部のところに所定の径からなるフランジ部を有するとともに、当該フランジ部を間に挟んでその両側に同じ値の径及び長さからなるシャフト部を有する対称形の形態からなるようにした。
【発明の効果】
【０００８】
第一の発明によれば、本車両用ドアハンドル装置を有するドアのところに、車両の側面衝突等により所定の衝撃荷重（加速度）が加わったときに、抑止機構の作動により、ドアハンドル本体のフック部のところに係合するベルクランクの揺動運動（回転運動）が抑止されるようになるので、ドアハンドル本体のドア開放方向への作動が規制されることとなる。その結果、側面衝突時等において、車両用ドアの開放が抑止され、乗員の安全確保が図られることとなる。
【０００９】
また、第二の発明によれば、車両の側面衝突等により、上記ドアハンドル本体のところに当該ドアハンドル本体をドア開放方向へ作動させるような力（加速度）が入力した場合において、当該加速度に対応する慣性力によって、ベルクランクの回転軸軸受部側に設けられた可動部材がベルクランの回転軸側に設けられた凹陥部内へ嵌り込んで、ベルクランク回転軸の回転運動を阻止するようになり、ベルクランクは、その揺動運動が抑止されるようになる。その結果、当該ベルクランクの一端側に係合するフック部を有するドアハンドル本体のドア開放方向への作動は抑止されるようになり、側面衝突等に起因するドアの開放作動が抑止されるようになる。
【００１０】
また、第三の発明のものにおいても、上記第一の発明及び第二の発明と同様、側面衝突時における衝撃力の入力に対して、ドアの開放が抑止されるようになり、乗員の安全確保が図られるようになる。すなわち、本発明のものにおいては、ドアハンドル本体への衝撃力（加速度）の入力に対して、軸受部側に設けられたスライドピンが、本スライドピンに生ずる慣性力によって、ベルクランクの回転軸に設けられた凹陥部内へ相対移動して、その先端部が凹陥部内へ嵌り込むようになる。これによって、ベルクランクの回転運動が抑止され、ドアハンドル本体のドア開放方向への作動が抑止されるようになる。その結果、側面衝突によるドアハンドル装置への衝撃力（加速度）の入力に対して、本車両用ドアは開放されないようになる。このような車両用ドアの開放規制を、小さな形態の、かつ、質量の軽いスライドピンの作動にて行なわせることができるようになり、本車両用ドアハンドル装置全体の質量軽減化を図ることができるようになる。
【００１１】
また、第四の発明のものにおいては、抑止機構を形成する可動部材あるいはスライドピン等がカバーにて覆われるようになっていることより、抑止機構全体が防塵機能を発揮する空間部内に保持されるようになる。その結果、抑止機構を形成する可動部材あるいはスライドピン周りには塵、埃等が侵入しないようになり、抑止機構の作動が安定化するようになる。また、第五の発明のものにおいては、スライドピンが中央部に所定の厚さを有するフランジ部を中心にして、その両側には同じ長さ及び同じ径を有するシャフト部が対称形をなすように設けられるようになっていることより、スライドピンの組立作業時において、スライドピンの組付方向を間違えてしまうようなことがないようになる。すなわち、スライドピンの誤組防止が図られるようになる。
【発明を実施するための最良の形態】
【００１２】
本発明を実施するための最良の形態について、図１ないし図５を基に説明する。本実施の形態に関するものは、図１及び図２に示す如く、ドア外板９の外側に設けられるものであって、プラスチック材にて形成されるとともに取手部１２及び当該取手部１２の長手方向軸線に対して直角の方向に設けられるフック部１１を有するハンドル本体１と、当該ハンドル本体１を保持するものであって主にプラスチック材にて形成されるとともにドア外板９の所定の位置に取付けられるベース２と、上記フック部１１と係合するレバー部を有するものであって、もう一方のレバー端部側がドアロック装置につながるベルクランク３と、当該ベルクランク３の揺動運動の支点をなす回転軸及び当該回転軸の回転運動を支持する軸受部のところに設けられるものであって、所定の加速度入力時に上記ベルクランク回転軸の所定角度以上の回転運動を抑止するように作動する抑止機構５と、からなることを基本とするものである。すなわち、本抑止機構５は、本ドアハンドル装置のところに所定の加速度が入力したときに、上記ベルクランク３が回転運動をしてドアロック装置を開錠状態へと作動させる前に、上記ベルクランク３のそれ以上の回転運動を規制して、ドアの開放作動を抑止するようにしているものである。
【００１３】
このような構成からなるものにおいて、上記抑止機構５についての第一の実施例に関するものは、図２に示す如く、ベルクランク３と一体的に形成される回転軸３１のところに設けられるものであって、当該回転軸３１の軸線（Ｏ３Ｏ３）に対して、ほぼ直角の方向に設けられる凹陥部３１１と、所定の力（加速度）が加わったときに上記凹陥部３１１内へ嵌り込むように形成されるものであって、上記ベルクランク３の回転軸３１を支持する軸受部２２側に保持される可動部材５１と、からなることを基本とするものである。このような構成からなるものにおいて、上記凹陥部３１１は、本実施の形態においては、図３に示す如く、ベルクランク回転軸３１のところに設けられるものであって当該回転軸３１の軸中心線（Ｏ３Ｏ３）に対してほぼ直角の方向に設けられる貫通穴からなるものが挙げられる。なお、凹陥部３１１は、本実施の形態に示すような貫通穴に限定されるものではなく、上記可動部材５１が移動して、その一部である先端部等が嵌り込むような形態のものであればどのような形態のものであっても良い。
【００１４】
次に、このような凹陥部３１１内に嵌り込んで上記ベルクランク３の回転軸３１の回転運動を抑止するように作動する可動部材５１は、本実施の形態においては、図３に示す如く、ベース２の一部に設けられるものであってベルクランク回転軸３１を支持する軸受部２２のところに設けられ、かつ、所定の力（加速度）の入力に対して上記回転軸３１に設けられる凹陥状の穴３１１方向へ相対移動するように形成されたスライドピン５１からなるものである。
【００１５】
すなわち、上記スライドピン５１は、図３に示す如く、ベース２に設けられた軸受部２２のところに形成されたホルダ部２２２のところにスプリング５５を介して保持されるようになっているものである。このように保持されることによって、上記スライドピン５１を保持するホルダ部２２２側に所定の力（加速度）が入力されると、当該スライドピン５１は、慣性力の影響によって、上記スプリング５５のばね反力に抗して元の位置に留まるように作動する。その結果、スライドピン５１は、ホルダ部２２２及びベルクランク回転軸３１に対して相対移動した状態となり、上記ベルクランク回転軸３１に設けられた凹陥状の穴３１１内へ、その一部（先端部）が嵌り込むようになる。これによって、ベルクランク３の回転軸３１の軸中心点（Ｏ３）を支点とした回転運動が止められるようになる（図２参照）。なお、このような可動部材５１としては、図３に示すようなスライドピンに限定されるものではなく、所定の加速度の入力に対して、その慣性力によって上記ベルクランク回転軸に設けられた凹陥部（凹陥状の穴）３１１内へ、その一部または全体が入り込んで、上記回転軸３１の回転運動を抑止するようなものであれば、どのような形態からなるものであっても良い。
【００１６】
次に、このような構成からなる本実施の形態のものについての作動態様、特に、第一の実施例に関するものの作動態様について、図４を主に説明する。まず、図２に示す如く、車両の側面衝突等により、ドア外板９のところにＦ方向の衝撃荷重（加速度）が加わると、これに伴って、上記ドア外板９に取付けられているベース２等にも同様のＦ方向の加速度が加わることとなる。これによって、その反作用等により、ハンドル本体１は、図２の二点鎖線図示のようにドア開放方向に作動し勝ちになる。その結果、ハンドル本体１のフック部１１のところに係合するベルクランク３が回転駆動されてドアロック装置を開錠方向へと作動させることとなる。
【００１７】
これに対して、本実施例のものにおいては、図４（ａ）に示す如く、上記Ｆ方向の力（加速度）がベース２及びベルクランク３のところにも入力することとなるが、このとき、ベース２の軸受部２２に形成されるホルダ部２２２のところにスライド可能なように保持されているスライドピン５１は、自身の質量に基因する慣性力によって上記Ｆ方向とは反対方向であるＸ方向に相対移動をすることとなる。なお、この場合、上記スライドピン５１のところには、所定のばね反力を発揮するスプリング５５が設けられており、通常は、上記スライドピン５１の移動は、このばね反力によって阻止されるようになっている。従って、上記Ｆ方向への加速度の入力に対して、上記スライドピン５１の移動は、上記スプリング５５のばね反力に抗した状態で行なわれることとなる。しかしながら、このスプリング５５のばね反力は非常に弱い値（小さな値）に設定されているので、上記Ｆ方向への加速度入力に対して、スライドピン５１は、比較的小さな力にてＸ方向へと相対移動（スライド移動）して、ベルクランク回転軸３１に設けられた凹陥部（穴）３１１内へ、その先端部が嵌り込むこととなる。
【００１８】
その結果、ベルクランク回転軸３１の回転運動が阻止されることとなり、ベルクランク３の揺動運動が止められることとなる。これによって、ベルクランク３の一端側が係合するフック部１１を有するドアハンドル本体１のドア開放方向（Ｘ方向）への作動が抑止される（図２参照）とともに、ベルクランク３のもう一方の端部側に連結されるドアロック装置のドア開錠方向への作動が規制されることとなる。このようにして、ドア外板９への側面衝突等によってドアが開放される方向に作動しようとする一連の作動が、上記スライドピン５１が相対移動することによって規制されることとなる。
【００１９】
次に、上記抑止機構５に関する第二の実施例について、図５を基に説明する。このものも、基本的には、上記第一の実施例のものと同様、スライドピンからなる可動部材５１と、ベルクランク３の回転軸３１のところに設けられる凹陥部（穴）３１１と、からなるものである。そして、このようなスライドピン５１及び当該スライドピン５１の作動を規制するスプリング５５が、カバー５９にて覆われるようになっているのが上記第一の実施例のものと異なるところである。このようなカバー５９にてスライドピン５１等が閉じられた空間内に保持されることによって、抑止機構５を形成するスライドピン５１周りには塵、埃等が侵入しないようになり、抑止機構５の作動を安定化させることができるようになる。
【００２０】
また、スライドピン５１は、図５に示す如く、中央部に所定の厚さを有するフランジ部５１５を有するとともに、その両側には同じ長さ及び同じ径を有するシャフト部５１１、５１１が対称形をなすように設けられるようになっているものである。すなわち、本スライドピン５１は、図５に示す如く、フランジ部５１５を中心にして、左右対称形をなすようになっているものである。このようなスライドピン５１を採用することによって、本抑止機構５の組立作業時において、スライドピン５１の組付方向を間違えてしまうようなことがないようにしているものである。すなわち、スライドピン５１の誤組防止を図るようにしているものである。また、上記スライドピン５１を形成する両方のシャフト部５１１、５１１は、ホルダ部２２２、２２５にて支持されるようになっており、これによってスライドピン５１の図５の（ａ）から図５の（ｂ）に示す状態への作動が円滑に行なわれるようになる。すなわち、本スライドピン５１の支持構造は、一方のシャフト部５１１がベース２の一部に形成されるホルダ部２２２にて支持されるとともに、もう一方のシャフト部５１１は上記カバー５９に設けられたホルダ部２２５にて支持されるようになっているものである。なお、このようなスライドピン５１の中央部に形成されるフランジ部５１５の一方の側面部にはスプリング５５の一端が係合するようになっている。そして、他方の側面部のところには、上記カバー５９の一部の壁面にて形成されるストッパ２２５が接触するようになっているものである（図５の（ａ）参照）。すなわち、上記スライドピン５１の一方のシャフト部５１１を支持するホルダ部２２５は、ストッパ兼用のホルダ部を形成するようになっているものである。
【００２１】
次に、このような構成からなる本第二の実施例に関するものの、その作動態様について、図５を基に説明する。このものも、基本的には、上記第一の実施例に挙げられるものと同じである。すなわち、通常は、図５の（ａ）に示す如く、スライドピン５１は、スプリング５５のばね反力によって左方側へ押付けられ、フランジ部５１５の一方の側面がカバー５９に形成されたストッパ兼用ホルダ部２２５のところに押付けられた状態で存在するようになっている。従って、スライドピン５１の一方のシャフト部５１１はベルクランク回転軸３１に設けられた凹陥部（穴）３１１内へは挿入されていない状態となっている。このような状態において、ドア及びドアハンドル装置のところに所定の力（加速度）が入力すると、上記スライドピン５１は、慣性力の作用により、ベース２及びベルクランク３に対して、図５の（ｂ）に示す如く、Ｘ矢印方向へ相対移動をすることとなる。その結果、スライドピン５１の一方のシャフト部５１１は、ベルクランク回転軸３１に設けられた凹陥部（穴）３１１内に収まることとなる。すなわち、シャフト部５１１が凹陥部（穴）３１１内に嵌り込むこととなる。これによって、ベルクランク３の、それ以上の回転運動が抑止されるようになる。その結果、図２に示す如く、ベルクランク３の一方のレバー部側に連結されるドアロック装置の開錠方向への作動が規制されることとなり、ドア開放作動が抑止されるようになる。
【００２２】
このように、本実施の形態のものにおいては、ドア開放作動を抑止する抑止機構５が、質量が軽くて小さな形態からなるスライドピン（可動部材）５１を主体に形成されるようになっており、抑止機構５全体を小形化することができるようになるとともに、装置全体の質量軽減化を図ることができるようになる。これによって、ドアハンドル装置全体の軽量化を図ることができるようになるとともに、このようなドアハンドル装置全体のドア外板９への取付作業に当たっての作業性の向上を図ることができるようになる。
【図面の簡単な説明】
【００２３】
【図１】本発明の全体構成を示す正面図である。
【図２】本発明の主要部をなす抑止機構、ベルクランク等を示す横断面図である。
【図３】本発明の主要部をなす抑止機構周りの構造を示す一部断面図である。
【図４】抑止機構についての第一の実施例に関するものの作動態様を示す説明図である。
【図５】抑止機構についての第二の実施例に関するものの作動態様を示す説明図である。
【図６】従来のものの全体構成を示す横断面図である。
【符号の説明】
【００２４】
１  ハンドル本体
１１  フック部
１２  取手部
２  ベース
２２  軸受部
２２２  ホルダ部
２２５  ホルダ部（ストッパ兼用ホルダ部）
３  ベルクランク
３１  回転軸
３１１  凹陥部（穴）
５  抑止機構
５１  可動部材（スライドピン）
５１１  シャフト部
５１５  フランジ部
５５  スプリング
９  ドア外板
【図１】
2005232768.tif 000003
【図２】
2005232768.tif 000004
【図３】
2005232768.tif 000005
【図４】
2005232768.tif 000006
【図５】
2005232768.tif 000007
【図６】
2005232768.tif 000008